(57)【要約】【課題】絵画作品展示の際、１．展示会毎の学芸員（専門家）による作品に関する資料の収集、調査、分析作業、名札板記入と言う、煩雑な準備作業を要した。２．準備された名札板は、それぞれの額縁近くの壁に分離、独立させて張り付けていた。３．その結果発生するトラブルを容易に防止するための器具を提供するのが、本発明品の目的である。【解決の手段】１．展示絵画作品の内容説明事項を標準化、統一化して２．記入した用紙を、透明プラスチックの名札入れに挿入し、金属板ハンガーに取り付け（組立て）、粘着テープで額縁の背面外周近くの平らな面に圧着されたマグネット・シートに直接吸着させる事により自由自在に、額縁から直接脱着して使用する事を特徴とする、額縁名札板器具である。３．その結果、専門家（学芸員）による煩雑な準備作業を省き、４．名札板の紛失防止。５．美術界全体の発展により一層の寄与が可能となる。【選択図】　　　　　　図１
2004049829.tif 000002
【特許請求の範囲】
【請求項１】
絵画作品の内容説明を標準化、統一化して用紙に記入し、これを透明プラスチックの名札入れに挿入して名札板とする。この名札板は金属板ハンガーに取り付け（組立て）る。名札板を取り付けた金属板ハンガーは、額縁の背面外周近くの平らな面に粘着テープで圧着されたマグネット・シートに直接吸着させる。本発明品は、額縁から直接名札板を自由自在に着脱させて使用する事を特徴とする額縁名札板器具である。
【発明の詳細な説明】
【０００１】
【発明の属する技術分野】
この発明は、展示絵画作品の名札付けに関する煩雑な準備作業を簡略化、統一化し、その後に発生するトラブルを防止するためのものである。
【０００２】
【従来の技術】
従来、絵画作品展示の際：
１．作品内容説明のための名札板は標準化、統一化されていない。
２．そのため、その都度、主催者側の学芸員は展示作品に関する資料を収集し、調査、分析をした後に名札板への記載事項を決定していた。この準備作業には学芸員と言う専門家を必要とした。
３．準備された名札板は、それぞれの額縁近くの壁に分離、独立させて張り付けられていた。
４．そのために展示会によっては名札板が有ったり、無かったり、また説明内容が不十分だったり、誤まりも見受けられた。
５．結果、作品を鑑賞、理解、把握するには、不十分、不行き届きな事が多く、主催者が期待する展示作品による啓蒙、美術水準の向上には不十分と言わざるをえない現状である。
【０００３】
【発明が解決しようとする課題】
具体的には次のような欠点が存在している。
１．名札板は、作品内容を把握する製作者自身が事前に準備し、直接額縁に備え付けてあれば、何ら問題は生じないが、
２．現状は、展示会毎に主催者側の学芸員による展示作品に関する資料の収集、調査、分析等の煩雑な準備作業を経て、名札板を作成している。これらの作業には学芸員と言う専門家を必要とする。
３．また上記の経緯で作成された名札板は、それぞれの作品額縁から分離、独立して壁に張り付けるため、同一の作品であっても、異なる展示会では内容に誤まりが有るとか、不十分とか、また、しばしば内容に異なる点が見られる。
４．その結果、鑑賞者側にとっても、十分に作品を鑑賞し、内容を把握する事が出来ず、主催者側が期待する知的レベル・アップ、啓蒙には至らない事が多い。
【０００４】
【課題を解決するための手段】
１．本発明品である額縁名札板器具は、額縁から分離、独立して壁に取り付けるのではなく、額縁に直接吸着させ、自由自在に脱着させて使用出来る。
２．展示会毎の学芸員（専門家）による、作品に関する資料収集、調査、分析、名札板作成、及び貼り付け、と言う煩雑な準備作業を省くことが出来る。
３．また、名札用紙への記入事項も、標準化（作家名、作家の生年、作品の題名、作品の材質、作品の大きさ、作品の制作年等）し、統一化する事で、鑑賞者に対する作品の啓蒙が一層、容易に拡大出来る。
【０００５】
【発明の実施の形態】
以下、本発明の実施の形態について説明する。
１．記入用紙への記載事項を次のように標準化し、統一する。
作者名
作者の生年、国籍
作品の題名
作品の材質（例えば、水彩、油絵等）
作品の大きさ
作品の制作年
作者のサインの場所
作品の所有者名
上記を記載した用紙は透明プラスチック名札入れに挿入して使用する。また文中のカッコ内の数字は書類名、図面にある各部の番号である。
２．絵画作品の運搬時には、金属板ハンガー（４）、透明プラスチック名札入れ（５）を、それぞれ分離し、独立させて作品の保管箱に入れ作品と同じ箱で運ぶので、紛失の恐れはない。
３．展示会等での作品の壁掛け作業の際にも、金属板ハンガー（４）、透明プラスチック名札入れ（５）は既に額縁から着脱されているために、額縁回りには突起物はなく、従来どおりの作業手順が可能である。
４．作品の壁掛け終了後に金属板ハンガー（４）と透明プラスチック名札入れ（５）を組立て、額縁背面に粘着テープで圧着されたマグネット・シートに直接吸着させて（取り付け）使用する。
５．名札板の額縁からの脱着は自由自在である。
【０００６】
【発明の効果】
本発明により、
１．主催者側に対して：（Ａ）展示される全ての絵画作品（額縁付き）には標準化、統一化した内容説明の名札入れ器具が準備され、これは額縁から分離、独立させることなく、直接額縁に吸着させて取り付ける。そして名札板の脱着が自由自在に出来るため、展示会毎の学芸員による作品に関する資料の収集、調査、分析等の煩雑な準備作業が省略される。（Ｂ）名札板の紛失の防止。（Ａ）、（Ｂ）の結果、展覧会本来の作業に集中出来る。
２．鑑覧者側に対して：（Ａ）標準化、統一化された名札板が直接額縁に取り付けてあるために、作品と説明内容を同じ基準で見る事が出来る。（Ｂ）そのため、作品の鑑賞、把握、理解が、これまで以上に容易となり、未熟な観覧者であっても、作品に対する興味、知的レベルを向上させる事が出来る。
３．作品の製作者側に対して：プロ・アマ、老若男女を問わず、いかなるレベルの作品であっても、本発明品を使用する事により、美術品の価値の向上、作品に対する制作責任、質的レベル・アップを促す事が出来る。
４．美術界の裾野の拡大発展につながる。
５．本発明具を使用する事により、作品の運搬、搬入、搬出、展示時に、新たな煩雑作業が加わる事はない。
【０００７】
他に額縁の正面、外周（側面）、にマグネット・シート（１）を取り付ける方法も、本特許請求の範囲である。
【０００８】
しかし作品の製作者側からすると、額縁の正面、側面も絵画作品の一部とする傾
向が強く、ここでは上記
【０００５】の形態、即ち、額縁の背面部の外周近く部（３）に粘着テープで圧着したマグネト・シート（１）に、名札板（５）を取り付けた金属板ハンガー（５）を自由自在に額縁に直接吸着、脱着させる方法の説明にとどめる。
【図面の簡単な説明】
【図１】本発明の斜視図
【図２】本発明の使用状態を示す説明図
【符号の説明】
（１）　　粘着テープ付きマグネット・シート
（２）　　額縁
（３）　　背面
（４）　　金属板ハンガー
（５）　　透明プラスチック名札入れ（名札板）
（６）　　必要事項記入用紙
【図１】
2004049829.tif 000003
【図２】
2004049829.tif 000004
【図３】
2004049829.tif 000005
【手続補正書】
【提出日】平成14年9月24日(2002.9.24)
【手続補正１】
【補正対象書類名】明細書
【補正対象項目名】図面の簡単な説明
【補正方法】変更
【補正の内容】
【図面の簡単な説明】
【図１】本発明の組み立て斜視図である。
【図２】本発明を額縁（絵画作品）に取り付けた状態（使用した状態）を、額縁の側面側から示す図面である。
【図３】本発明を額縁（絵画作品）に取り付けた状態（使用した状態）を、額縁の正面側から示す図面である。
【符号の説明】
（１）粘着テープ付きマグネット・シート
（２）額縁
（３）背面
（４）金属板ハンガー
（５）透明プラスチック名札入れ（名札板）
（６）必要事項記入用紙